(57)【特許請求の範囲】
【請求項１】
時系列変化する動画データと、時系列変化しない静止画データとを、２以上の記録層を有するディスク状の多層情報記録媒体に対して記録する記録部と、
上記記録部の記録動作を制御する記録動作制御部と
を備え、
上記記録動作制御部は、
上記多層情報記録媒体の記録領域を半径方向に複数の領域に分割した記録ユニット毎に管理し、上記動画データを上記２以上の記録層のうちの所定の記録層から所定の順序に従って記録し、動画撮影中に静止画撮影がなされると、上記静止画データを上記所定の記録層以外の記録層から上記所定の順序に対して後ろ詰めで記録するように制御することを特徴とする記録装置。
【請求項２】
動画データを溜め込む第１の記憶部と、
静止画データを溜め込む第２の記憶部と
をさらに備え、
動画撮影中に静止画撮影がなされると、上記第１の記憶部に溜め込まれた上記動画データが読み出され記録最小単位未満になったとき、上記第２の記憶部に溜め込まれた上記静止画データを、上記所定の記録層以外の記録層から上記所定の順序に対して後ろ詰めで記録するように制御することを特徴とする請求項１記載の記録装置。
【請求項３】
上記記録動作制御部は、上記多層情報記録媒体の回転をＺＣＡＶ方式で制御し、
上記記録ユニットは、上記ＺＣＡＶ方式の領域に対応していることを特徴とする請求項１記載の記録装置。
【請求項４】
２以上の記録層を有するディスク状の多層情報記録媒体の記録領域を半径方向に複数の領域に分割した記録ユニット毎に管理し、動画データを上記２以上の記録層のうちの所定の記録層から所定の順序に従って記録し、動画撮影中に静止画撮影がなされると、静止画データを上記所定の記録層以外の記録層から上記所定の順序に対して後ろ詰めで記録するように制御することを特徴とする記録方法。
【請求項５】
動画撮影中に静止画撮影がなされると、第１の記憶部に溜め込まれた上記動画データが読み出され記録最小単位未満になったとき、第２の記憶部に溜め込まれた上記静止画データを、上記所定の記録層以外の記録層から上記所定の順序に対して後ろ詰めで記録するように制御することを特徴とする請求項４記載の記録方法。
【請求項６】
２以上の記録層を有するディスク状の多層情報記録媒体の記録領域を半径方向に複数の領域に分割した記録ユニット毎に管理し、動画データを上記２以上の記録層のうちの所定の記録層から所定の順序に従って記録し、動画撮影中に静止画撮影がなされると、静止画データを上記所定の記録層以外の記録層から上記所定の順序に対して後ろ詰めで記録するように制御することを特徴とする記録方法をコンピュータ装置に実行させる記録プログラム。
【請求項７】
動画撮影中に静止画撮影がなされると、第１の記憶部に溜め込まれた上記動画データが読み出され記録最小単位未満になったとき、第２の記憶部に溜め込まれた上記静止画データを、上記所定の記録層以外の記録層から上記所定の順序に対して後ろ詰めで記録するように制御することを特徴とする記録方法をコンピュータ装置に実行させる請求項６記載の記録プログラム。
【請求項８】
被写体を撮像し、動画データを出力する撮像部と、
上記撮像部から出力された動画データと、時系列変化しない静止画データとを、２以上の記録層を有するディスク状の多層情報記録媒体に対して記録する記録部と、
上記記録部の記録動作を制御する記録動作制御部と
を備え、
上記記録動作制御部は、
上記多層情報記録媒体の記録領域を半径方向に複数の領域に分割した記録ユニット毎に管理し、上記動画データを上記２以上の記録層のうちの所定の記録層から所定の順序に従って記録し、動画撮影中に静止画撮影がなされると、上記静止画データを上記所定の記録層以外の記録層から上記所定の順序に対して後ろ詰めで記録するように制御することを特徴とする撮像装置。
【請求項９】
動画データを溜め込む第１の記憶部と、
静止画データを溜め込む第２の記憶部と
をさらに備え、
動画撮影中に静止画撮影がなされると、上記第１の記憶部に溜め込まれた上記動画データが読み出され記録最小単位未満になったとき、上記第２の記憶部に溜め込まれた上記静止画データを、上記所定の記録層以外の記録層から上記所定の順序に対して後ろ詰めで記録するように制御することを特徴とする請求項８記載の撮像装置。
【請求項１０】
上記記録動作制御部は、上記多層情報記録媒体の回転をＺＣＡＶ方式で制御し、
上記記録ユニットは、上記ＺＣＡＶ方式の領域に対応していることを特徴とする請求項８記載の撮像装置。
【請求項１１】
２以上の記録層を有する多層情報記録媒体の記録領域を半径方向に複数の領域に分割した記録ユニット毎に管理し、撮像部から出力された動画データを上記２以上の記録層のうちの所定の記録層から所定の順序に従って記録し、動画撮影中に静止画撮影がなされると、時系列変化しない静止画データを上記所定の記録層以外の記録層から上記所定の順序に対して後ろ詰めで記録するように制御することを特徴とする撮像装置の記録制御方法。
【請求項１２】
動画撮影中に静止画撮影がなされると、第１の記憶部に溜め込まれた上記動画データが読み出され記録最小単位未満になったとき、第２の記憶部に溜め込まれた上記静止画データを、上記所定の記録層以外の記録層から上記所定の順序に対して後ろ詰めで記録するように制御することを特徴とする請求項１１記載の撮像装置の記録制御方法。
【請求項１３】
２以上の記録層を有する多層情報記録媒体の記録領域を半径方向に複数の領域に分割した記録ユニット毎に管理し、撮像部から出力された動画データを上記２以上の記録層のうちの所定の記録層から所定の順序に従って記録し、動画撮影中に静止画撮影がなされると、時系列変化しない静止画データを上記所定の記録層以外の記録層から上記所定の順序に対して後ろ詰めで記録するように制御することを特徴とする撮像装置の記録制御方法を撮像装置に実行させる記録制御プログラム。
【請求項１４】
動画撮影中に静止画撮影がなされると、第１の記憶部に溜め込まれた上記動画データが読み出され記録最小単位未満になったとき、第２の記憶部に溜め込まれた上記静止画データを、上記所定の記録層以外の記録層から上記所定の順序に対して後ろ詰めで記録するように制御することを特徴とする撮像装置の記録制御方法を撮像装置に実行させる請求項１３記載の記録制御プログラム。
【発明の詳細な説明】
【技術分野】
【０００１】
この発明は、複数の記録層を有する記録媒体に対して時系列データと非時系列データとを記録する記録装置、記録方法および記録プログラム、ならびに撮像装置、撮像装置の記録制御方法および記録制御プログラムに関する。
【背景技術】
【０００２】
動画データを光ディスクに対して記録する撮像装置は、データへのアクセスの容易さやデータ編集の容易さなどの優れた利点を有するために広く普及している。近年、このような撮像装置では、動画データだけではなく、静止画データなどの種々のデータを光ディスクに記録できるものが望まれるようになっている。
【０００３】
そこで、この要求に応えるために、動画データと、静止画データなどの種々のデータとを光ディスクに記録することができる撮像装置が提案されている（例えば、特許文献１参照）。近年では、さらに利便性を高めるために、動画撮影しながら静止画撮影することができる撮像装置も提案されている。
【０００４】
このように動画撮影しながら静止画撮影する記録方法として、（１）動画データと静止画データとを連続して光ディスクに記録するデータ記録方法（以下、第１のデータ記録方法）、（２）光ディスクの記録領域を２つに分け、それぞれに動画データと静止画データとを記録するデータ記録方法（以下、第２のデータ記録方法）が提案されている。
【０００５】
（１−１）第１のデータ記録方法
図１２（ａ）は、動画データおよび静止画データの記録順序を示す。図１２（ｂ）は、動画データ用である第１のライトバッファの書き込みおよび読み出し動作を示す。図１２（ｃ）は、静止画データ用である第２のライトバッファの書き込みおよび読み出し動作を示す。動画データおよび静止画データは、バッファ（ライトバッファ）に一旦書き込まれた後、所定のタイミングで読み出され、光ディスクに記録されるようになっている。
【０００６】
動画撮影を開始すると、第１のライトバッファに対する動画データの書き込みが開始され、所定量の動画データが書き込まれたら、動画データが第１のライトバッファから読み出され、光ディスクに記録される。この書き込みおよび読み出しの動作が、動画データの記録中には所定のタイミングで繰り返される。
【０００７】
動画データの記録中に静止画シャッタを切ると、第２のライトバッファに対して静止画データが書き込まれる。そして、第１のライトバッファの動画データが記録最小単位未満になり、光ディスクに対する動画データの書き込みが一旦停止されたタイミングで、第２のライトバッファから静止画データが読み出され、動画データの記録領域の後に続けて静止画データが記録される。
【０００８】
（１−２）ファイル構造
次に、図１３を用いて、上述のようにして動画データおよび静止画データが記録された光ディスクのファイル構造について説明する。ここでは、ファイルシステムがＵＤＦ（Universal Disc Format）である場合を例として説明する。
【０００９】
ＵＤＦのファイル管理情報としてファイルエントリ（FileEntry）がある。ファイルエントリにはＡＤ(allocation descriptor)と呼ばれる光ディスク上のデータ配置に関する記述子があり、ＡＤにより光ディスク上のデータ開始位置やデータサイズを知ることができる。コントローラがこの管理情報をあらかじめワークメモリに読み出しておくことで、光ディスクから所望のファイルを読み出すことが可能となる。
【００１０】
上述の第１のデータ記録方法でデータを光ディスクに記録した場合には、動画データが静止画データにより分断されるため、分断された動画データそれぞれのＡＤがファイルエントリに登録される。
【００１１】
（１−３）データ再生方法
次に、図１４を用いて、上述の第１のデータ記録方法により動画データおよび静止画データが記録された光ディスクから静止画をスライドショーにより連続的に再生する場合について説明する。スライドショーによる静止画再生が指示されると、ファイルエントリに基づき、図１４に示すように、動画データを飛び越えながら、分散された静止画データにアクセスし、静止画データを読み出す。
【００１２】
（２−１）第２のデータ記録方法
図１５は、動画データおよび静止画データの記録順序を示す。この第２のデータ記録方法では、光ディスクの記録領域を２分し、例えば、外周側の記録領域を静止画の記録領域とし、内周側の記録領域を動画の記録領域とする。以下、外周側の記録領域を静止画の記録領域とし、内周側の記録領域を動画の記録領域とする場合を例として、第２のデータ記録方法について説明する。
【００１３】
まず動画撮影を開始すると、動画データ用である第１のライトバッファに対して動画データが書き込まれ、所定量の動画データが第１のライトバッファに書き込まれたら、動画データが第１のライトバッファから読み出され、光ディスクの内周側から記録される（ＳＥＱ１０１）。動画撮影中には、上述のように第１のライトバッファに対する動画データの書き込みおよび読み出しの動作が繰り返されながら、光ディスクに対する動画データの記録が行われる（ＳＥＱ１０２）。
【００１４】
そして、動画撮影中に静止画シャッタを切ると、静止画データ用である第２のライトバッファに静止画データが書き込まれる。そして、動画データ用である第１のライトバッファの動画データが記録最小単位未満になったときに、光ディスクに対する動画データの書き込みが一旦停止される。
【００１５】
次に、光ディスクの外周側にアクセスすると（ＳＥＱ１０３）、第２のライトバッファから静止画データが読み出され、光ディスクの外周部に記録される（ＳＥＱ１０４）。そして、光ディスクに対する静止画データの記録が終了したら、前回動画データの書き込みを停止した位置にアクセスし（ＳＥＱ１０５）、この位置から光ディスクに対する動画データの記録を再開する（ＳＥＱ１０２）。静止画シャッタを切る度に、上述のＳＥＱ１０３〜ＳＥＱ１０５の動作が繰り返される。
【００１６】
（２−２）ファイル構造
次に、図１６を用いて、上述の第２のデータ記録方法により動画データおよび静止画データが記録された光ディスクのファイル構造について説明する。ここでは、ファイルシステムがＵＤＦ（Universal Disc Format）である場合を例として説明する。
【００１７】
図１６に示すように、動画ファイルは、静止画ファイルにより分断されることなく記録される。一方、１つのＡＤで管理できるデータサイズには上限があるので（例えば、上述のＵＤＦの場合、管理できるデータサイズは１ＧＢまでとされる。）、必ずしも１つの動画ファイルに関して１つのＡＤがファイルエントリに登録されるわけでない。したがって、１つの動画ファイルに関して１または複数のＡＤがファイルエントリには登録される。
【００１８】
（２−３）データ再生方法
次に、上述の第２のデータ記録方法により動画データおよび静止画データが記録された光ディスクから静止画をスライドショーにより連続的に再生する場合について説明する。スライドショーによる静止画再生が指示されると、ファイルエントリに基づき、光ディスクの外周側に設けられた静止画の記録領域にアクセスし、この記録領域に集められて記録された静止画データを順次再生する。
【００１９】
【特許文献１】特開２００４−３９１８５号公報
【発明の開示】
【発明が解決しようとする課題】
【００２０】
上述したように、第１のデータ記録方法では、静止画データを動画データの記録領域に続けて記録するので、この第１のデータ記録方法は、動画データを記録しながら静止画データを記録するようなリアルタイム記録に適している。また、動画データ用のライトバッファの破綻を防ぐことができるという利点も有している。
【００２１】
しかしながら、第１のデータ記録方法では、静止画データが分散して記録されるため、スライドショーにより静止画を連続的に再生した場合には、多数のシークが発生する、静止画の切替時間が遅くなる、アクセスによるノイズが発生する、消費電力が大きくなるという問題点がある。また、動画データが静止画データにより分断される回数が多くなるほど、ＡＤの数が多くなり、ワークメモリに読み込んでおく動画ファイル管理情報が大きくなり、ワークメモリを多く消費してしまうという問題点もある。
【００２２】
一方、上述の第２のデータ記録方法は、静止画データを集めて記録できるので、スライドショーにより静止画を連続的に再生した場合には、シーク数を少なくできる、静止画の切替時間の高速化できる、アクセスによるノイズを低減できる、消費電力を低減できるという点において、上述の第１のデータ記録方法に比べて優れている。また、動画ファイルも分断されることなく集めて記録できるので、第１のデータ記録方法に比して動画ファイル管理情報を小さくできるという利点も有している。
【００２３】
しかしながら、第２のデータ記録方法では、静止画データの記録領域と動画データの記録領域とを分けるため、動画データの記録領域から静止画データの記録領域にアクセスするためには、光ディスクの内周領域と外周領域との間でのフルストロークのアクセスが発生する。したがって、第２のデータ記録方法は、動画データを記録しながら静止画データを記録するようなリアルタイム記録には適さない。
【００２４】
また、この第２のデータ記録方法によりリアルタイム記録を行う場合には、上述のように、光ディスクの内周領域と外周領域との間でのフルストロークのアクセスが発生するので、ライトバッファを大きくすることが必要となる。また、記録する静止画の画素数が今後更に大きくなることを考慮すると、それにあわせてライトバッファの容量も更に大きくする必要性が生じる。
【００２５】
上述したように、リアルタイム記録という観点からすると、第１のデータ記録方法が第２のデータ記録方法に比べて優れているが、再生時のアクセス性の観点からすると、第２のデータ記録方法が第１のデータ記録方法に比べて優れている。そこで、第１および第２のデータ記録方法の両方の利点を有するデータ記録方法が望まれている。
【００２６】
したがって、この発明の目的は、リアルタイム記録に適し、且つデータの分断を抑えることができる記録装置、記録方法および記録プログラム、ならびに撮像装置、撮像装置の記録制御方法および記録制御プログラムを提供することにある。
【課題を解決するための手段】
【００２７】
上述の課題を解決するために、この発明は、時系列変化する動画データと、時系列変化しない静止画データとを、２以上の記録層を有するディスク状の多層情報記録媒体に対して記録する記録部と、
記録部の記録動作を制御する記録動作制御部と
を備え、
記録動作制御部は、
多層情報記録媒体の記録領域を半径方向に複数の領域に分割した記録ユニット毎に管理し、動画データを２以上の記録層のうちの所定の記録層から所定の順序に従って記録し、動画撮影中に静止画撮影がなされると、静止画データを所定の記録層以外の記録層から所定の順序に対して後ろ詰めで記録するように制御することを特徴とする記録装置である。
【００２８】
また、この発明は、２以上の記録層を有するディスク状の多層情報記録媒体の記録領域を半径方向に複数の領域に分割した記録ユニット毎に管理し、動画データを２以上の記録層のうちの所定の記録層から所定の順序に従って記録し、動画撮影中に静止画撮影がなされると、静止画データを所定の記録層以外の記録層から所定の順序に対して後ろ詰めで記録するように制御することを特徴とする記録方法である。
【００２９】
また、この発明は、２以上の記録層を有するディスク状の多層情報記録媒体の記録領域を半径方向に複数の領域に分割した記録ユニット毎に管理し、動画データを２以上の記録層のうちの所定の記録層から所定の順序に従って記録し、動画撮影中に静止画撮影がなされると、静止画データを所定の記録層以外の記録層から所定の順序に対して後ろ詰めで記録するように制御することを特徴とする記録方法をコンピュータ装置に実行させる記録プログラムである。
【００３０】
また、この発明は、被写体を撮像し、動画データを出力する撮像部と、
撮像部から出力された動画データと、時系列変化しない静止画データとを、２以上の記録層を有するディスク状の多層情報記録媒体に対して記録する記録部と、
記録部の記録動作を制御する記録動作制御部と
を備え、
記録動作制御部は、
多層情報記録媒体の記録領域を半径方向に複数の領域に分割した記録ユニット毎に管理し、動画データを２以上の記録層のうちの所定の記録層から所定の順序に従って記録し、動画撮影中に静止画撮影がなされると、静止画データを所定の記録層以外の記録層から所定の順序に対して後ろ詰めで記録するように制御することを特徴とする撮像装置である。
【００３１】
また、この発明は、２以上の記録層を有する多層情報記録媒体の記録領域を半径方向に複数の領域に分割した記録ユニット毎に管理し、撮像部から出力された動画データを２以上の記録層のうちの所定の記録層から所定の順序に従って記録し、動画撮影中に静止画撮影がなされると、時系列変化しない静止画データを所定の記録層以外の記録層から所定の順序に対して後ろ詰めで記録するように制御することを特徴とする撮像装置の記録制御方法である。
【００３２】
また、この発明は、２以上の記録層を有する多層情報記録媒体の記録領域を半径方向に複数の領域に分割した記録ユニット毎に管理し、撮像部から出力された動画データを２以上の記録層のうちの所定の記録層から所定の順序に従って記録し、動画撮影中に静止画撮影がなされると、時系列変化しない静止画データを所定の記録層以外の記録層から所定の順序に対して後ろ詰めで記録するように制御することを特徴とする撮像装置の記録制御方法を撮像装置に実行させる記録制御プログラムである。
【００３３】
上述したように、この発明は、多層情報記録媒体の記録領域を半径方向に複数の領域に分割した記録ユニット毎に管理し、第１データを２以上の記録層のうちの所定の記録層から所定の順序に従って記録し、第２データを所定の記録層以外の記録層から所定の順序に対して後ろ詰めで記録するので、第１データの記録から第２データの記録に移行するときのアクセス距離を最大でも記録ユニット幅とすることができると共に、第２データを所定箇所に集めて記録することができる。
【発明の効果】
【００３４】
この発明は、第１データの記録から第２データの記録に移行するときのアクセス距離を最大でも記録ユニット幅とし、第１データおよび第２データ間のアクセス距離を短くできるので、リアルタイム記録に適した記録装置を提供できる。また、第２のデータを所定箇所に集めて記録することができるので、第２データを連続再生する場合にシーク数を減らすことができる。
【発明を実施するための最良の形態】
【００３５】
以下、この発明の実施形態について図面を参照しながら説明する。なお、以下の実施形態の全図においては、同一または対応する部分には同一の符号を付す。
【００３６】
（１）第１の実施形態
ビデオカメラ装置の概略構成
このビデオカメラ装置は、動画撮影をしながら静止画撮影をすることができるものである。
【００３７】
図１は、この発明の第１の実施形態によるビデオカメラ装置の記録系の一例の概略構成を示す。映像入力部１２は、入力されたディジタルビデオデータを動画像エンコーダ１３に供給する。動画像エンコーダ１３は、映像入力部１２から供給されたディジタルビデオデータを、例えばＭＰＥＧ２（Moving Pictures Experts Group 2）形式で圧縮し、マルチプレクサ１８に供給する。
【００３８】
音声入力部１４は、入力されたディジタルオーディオデータを音声エンコーダ１５に供給する。音声エンコーダ１５は、音声入力部１４から供給されたディジタルオーディオデータを、例えばＡＣ３（Audio Code number 3）形式で圧縮し、マルチプレクサ１８に供給する。
【００３９】
マルチプレクサ１８は、例えば動画像エンコーダ１３から供給されたディジタルビデオデータと、音声エンコーダ１５から供給されたディジタルオーディオデータとを所定に多重化し、例えばＭＰＥＧ２のプログラムストリーム形式（ＭＰＥＧ  ＰＳ）などによるＡＶ（Audio Visual）データを生成し、第１のライトバッファ１９に出力する。第１のライトバッファ１９には、マルチプレクサ（以下、ＭＵＸ）１８から供給されたＡＶデータが一時的に溜め込まれ、一定量のデータが溜め込まれたら読み出されて光ディスクドライブ２２に転送される。
【００４０】
なお、動画撮影中に静止画撮影をした場合には、静止画データの記録中にもＡＶデータが生成され、第１のライトバッファ１９に溜め込まれる。そのため、第１のライトバッファ１９がオーバーフローして動画記録が途切れてしまわないように、第１のライトバッファ１９の容量は、静止画データの記録にかかる時間より長い時間、ＭＵＸ１８から供給されるＡＶデータを溜め込み可能なようになっている。
【００４１】
静止画入力部１６は、入力された静止画データを静止画像エンコーダ１７に供給する。静止画像エンコーダ１７は、静止画入力部１６から供給された静止画データを、例えばＪＰＥＧ（Joint Photographic Experts Group）形式で圧縮し、第２のライトバッファ２０に供給する。
【００４２】
第２のライトバッファ２０には、静止画像エンコーダ１７から供給された静止画データが一時的に溜め込まれ、適宜読み出されて光ディスクドライブ２２に転送される。例えば、動画撮影中に静止画撮影をした場合には、第１のライトバッファ１９からＡＶデータが読み出され第１のライトバッファ１９のＡＶデータが記録最小単位未満になったときに、第２のライトバッファ２０からの静止画データの読み出しが開始される。
【００４３】
ワークメモリ２１は、コントローラ１１のワークメモリとして用いられ、例えば、光ディスク２から読み出されたファイル管理情報が格納される。コントローラ１１は、このファイル管理情報に基づきビデオカメラ装置１の記録・再生動作を制御する。
【００４４】
光ディスクドライブ２２は、信号処理部２３を備え、この信号処理部２３により第１のライトバッファ１９または第２のライトバッファ２０から供給されたディジタルデータに対して所定のエラー符号の付加や変調などの処理を施して、光ディスク２への記録に適した記録信号を生成し、光ディスク２に記録する。光ディスク２は、例えば２層の記録層を有する多層光ディスクである。
【００４５】
コントローラ１１は、ビデオカメラ装置１に備えられた各部を制御する。例えば、動画撮影中に静止画撮影をした場合には、第１のライトバッファ１９からＡＶデータが読み出され第１のライトバッファ１９のＡＶデータが記録最小単位未満になったときに、第２のライトバッファ２０から静止画データが読み出されるように、第１のライトバッファ１９および第２のライトバッファ２０の書き込み・読み出し動作を制御する。
【００４６】
光ディスク２に記録されたＡＶデータおよび静止画データはそれぞれ、ファイルシステムにより動画ファイルおよび静止画ファイルとして管理される。ファイルシステムとしては、例えばＵＤＦ（Universal Disc Format）が用いられる。ＵＤＦのファイル管理情報としてはファイルエントリ（FileEnty）があり、ファイルエントリには、ＡＤ（allocation descriptor）と称する、光ディスク２上のデータ配置に関する記述子がある。この記述子により、コントローラ１１は、光ディスク２に記録された各動画ファイルおよび静止画ファイルの開始位置およびファイルサイズなどを知ることができる。
【００４７】
光ディスク２に対して動画ファイルまたは静止画ファイルを記録した場合には、コントローラ１１は、例えば、この動画ファイルまたは静止画ファイルの記録開始位置およびファイルサイズに関するＡＤを生成し、所定のタイミングで光ディスク２の内周部に記録する。また、光ディスク２をビデオカメラ装置１にローディングすると、コントローラ１１は、ファイル管理情報を予めワークメモリ２１に読み込むようになっている。これにより、光ディスク２から所望のデータを読み出すことが可能となる。
【００４８】
図２は、この発明の第１の実施形態によるビデオカメラ装置の再生系の一例の概略構成を示す。光ディスクドライブ２２は、ビデオデータとオーディオデータとが所定に多重化されたＡＶデータまたは静止画データを光ディスク２から読み出し、この読み出されたデータに対して信号処理部２３にてエラー訂正および復調などの処理を施した後、データ制御部３１に供給する。例えば、光ディスク２上の読み出し開始位置と読み出しサイズとがコントローラ１１から供給された場合には、光ディスクドライブ２２は、その指示された光ディスク２上の読み出し開始位置にアクセスし、この位置から読み出しサイズで指示されたＡＶデータまたは静止画データを読み出す。例えば、光ディスク２をローディングしたときにファイル管理情報が光ディスク２から読み出され、コントローラ１１のワークメモリ２１などに格納される。そして、コントローラ１１は、ワークメモリ２１に格納されたファイル管理情報に基づき、光ディスクドライブ２２に対して、データの読み出し開始位置およびファイルサイズを指示する。
【００４９】
データ制御部３１は、例えばデマルチプレクサであり、光ディスクドライブ２２からＡＶデータが供給された場合には、このＡＶデータを第１のリードバッファ３２に供給する。また、光ディスクドライブ２２から静止画データが供給された場合には、この静止画データを第２のリードバッファ３３に供給する。さらに、光ディスクドライブ２２からファイル管理情報が供給された場合には、このファイル管理情報をワークメモリ２１に供給する。
【００５０】
第１のリードバッファ３２には、データ制御部３１から供給されたＡＶデータが溜め込まれ、データの再生時間に合わせてデマルチプレクサ（以下、ＤＥＭＵＸ）３４に供給される。ＤＥＭＵＸ３４は、第１のリードバッファ３２から供給されたＡＶデータを、ディジタルオーディオデータとディジタルビデオデータとに分離し、ディジタルオーディオデータを音声デコーダ３５に供給し、ディジタルビデオデータを動画像デコーダ３６に供給する。
【００５１】
音声デコーダ３５は、ＤＥＭＵＸ３４から供給された、例えばＡＣ３形式で圧縮されたディジタルオーディオデータを伸張し、音声再生部３９に供給する。音声再生部３９は、音声デコーダ３５から供給されたディジタルオーディオデータをアナログオーディオデータに変換し、音声として出力する。
【００５２】
動画像デコーダ３６は、ＤＥＭＵＸ３４から供給された、例えばＭＰＥＧ２形式で圧縮されたディジタルビデオデータを伸張し、映像合成部３８に供給する。
【００５３】
第２のリードバッファ３３には、データ制御部３１から供給された静止画データが溜め込まれ、適宜読み出されて静止画像デコーダ３７に供給される。静止画像デコーダ３７は、第２のリードバッファ３３から供給された、例えばＪＰＥＧ形式で圧縮された静止画データを伸張し、映像合成部３８に供給する。
【００５４】
映像合成部３８は、動画像デコーダ３６から供給されるディジタルビデオデータと、静止画像デコーダ３７から供給される静止画データとを合成または切り替えて、映像表示部４０に供給する。映像表示部４０は、映像合成部３８から供給されたディジタルビデオデータまたは静止画データに対して、例えばＬＣＤ（Liquid Crystal Display）などの表示パネルに適するように各種信号処理を施し、映像を表示する。
【００５５】
ビデオカメラ装置の具体的構成
次に、図１および図２を用いて説明した上述のビデオカメラ装置のより具体的な構成について説明する。図３は、この発明の第１の実施の形態によるビデオカメラ装置の一例の構成を示す。ＣＰＵ５１は、ビデオカメラ装置１に備えられた各部を制御する。ＣＰＵ５１に対してＲＯＭ（Read Only Memory）５３およびＲＡＭ（Random Access Memory）５４が接続され、ＣＰＵ５１はＲＯＭ５３に予め記憶されたプログラムに従い動作する。ＲＡＭ５４は、ＣＰＵ５１のワークメモリとして用いられる。このＲＡＭ５４には、例えば、光ディスク２から読み出されたファイル管理情報が格納される。
【００５６】
また、ＣＰＵ５１に対して、操作部５２が接続される。操作部５２は、このビデオカメラ装置１に対して各種設定や操作を行うためのスイッチ類など、例えば、静止画を撮影するための静止画シャッタボタンや、動画を撮影するための動画撮影ボタンが設けられている。ユーザは、この操作部５２を用いて、このビデオカメラ装置１による動画および静止画の撮影や再生、ビデオカメラ装置１に対する各種設定などの諸操作を行うことができる。
【００５７】
図４は、光ディスクドライブ２２の一例の構成を示す。光ディスク２は、図示されないクランプ機構によってスピンドルモータ７０のシャフト７１に係合されて、スピンドルモータ７０により回転駆動可能とされている。
【００５８】
光ディスク２の記録面に対向する位置に、光ピックアップ７２が配置される。光ピックアップ７２は、スレッドモータ７３により光ディスク２の径方向に移動可能とされたスレッド７４に載置され、スレッド７４と共に光ディスク２の径方向に移動される。
【００５９】
光ピックアップ７２は、光ディスク２に対してレーザ光を照射して情報信号の記録および読み取りなどを行う光学系である。
【００６０】
光ピックアップ７２の出力は、信号処理部２３に供給される。信号処理部２３は、光ピックアップ７２の出力に基づきフォーカスエラー信号、トラッキングエラー信号などを生成し、マイコン７７に供給する。マイコン７７は、これらフォーカスエラー信号やトラッキングエラー信号に基づきサーボ制御部７５に対して制御信号を供給する。サーボ制御部７５は、供給された制御信号に基づき、スピンドルサーボ、スレッドサーボ、対物レンズに対するサーボ（フォーカスサーボ、トラッキングサーボ）など、各種のサーボ制御を行う。
【００６１】
また、信号処理部２３は、記録時には、ホストインターフェイス（Ｉ／Ｆ）７６を介してＭＵＸ・ＤＥＭＵＸ６９から供給された記録信号に対して、エラー訂正符号化処理および記録符号化処理などを施し、さらに変調処理など所定の信号処理を施し記録信号を生成する。記録信号は、光ピックアップ７２に供給され、レーザ光に変調駆動される。再生時には、光ピックアップ７２から出力された信号に対してＲＦ信号処理、２値化処理、ＰＬＬ(Phase Locked Loop)同期処理および記録符号の復号化処理など、所定の処理を施し、ディジタル信号を取り出す。信号処理部２３から出力されたディジタル信号は、ホストＩ／Ｆ７６を介して、ＭＵＸ・ＤＥＭＵＸ６９に供給される。
【００６２】
さらに、例えば記録時には、ホストＩ／Ｆ７６を介してＣＰＵ５１からの記録命令も供給され、マイコン７７に渡される。マイコン７７は、記録命令に基づき、サーボ制御部７５に対して記録動作を開始するように命令を出す。サーボ制御部７５は、このマイコン７７からの命令に基づき光ピックアップ７２の位置制御などを行う。また、マイコン７７は、信号処理部２３に対して、ライトストラテジ、記録パワー、デフォーカス量といった各記録条件を設定する。信号処理部２３は、設定された記録条件に従い、記録信号の変調やレーザ光源の駆動制御を行う。再生時も、同様にして、マイコン７７により信号処理部２３やサーボ制御部７５が制御される。
【００６３】
マイコン７７は、例えばマイクロプロセッサからなり、図示されないＲＯＭ(Read Only Memory)に予め記憶されたプログラムに基づき、上述のようにしてこの光ディスクドライブ２２の動作を制御する。なお、マイコン７７はＣＰＵ５１と兼用してもよい。
【００６４】
まず、記録時の動作を説明する。被写体からの光が光学系５５を介して、撮像素子であるＣＣＤ(Charge Coupled Device)５６に入射する。図３では省略されているが、光学系５５は、フォーカス機構、ズーム機構、絞り機構などを含む。これらの各機構は、ＣＰＵ５１の制御に基づき、図示されない駆動部により所定に制御される。
【００６５】
光学系５５を介して入射する光は、ＣＣＤ５６にて映像データに変換され、ＣＤＳ(Correlated Double Sampling)・Ａ／Ｄ変換回路５７にてサンプリングされディジタルビデオデータに変換される。ＣＤＳ・Ａ／Ｄ変換回路５７の出力は、撮像信号処理回路５８に供給される。撮像信号処理回路５８は、供給されたディジタルビデオデータに対して、ゲイン調整処理、γ処理、ホワイトバランス処理などの所定の映像信号処理を施し、出力する。撮像信号処理回路５８の出力は、ベースバンド信号処理回路６３に供給される。なお、動画撮影が行われていないときでも、ＣＣＤ５６から映像データがベースバンド信号処理回路６３に供給される。
【００６６】
音声は、マイクロフォン５９によって集音され、アナログオーディオデータに変換される。アナログオーディオデータは、オーディオ信号処理回路６０により、所定に増幅処理や音質補正処理、雑音低減処理などを施される。オーディオ信号処理回路６０から出力されたアナログオーディオデータは、Ａ／Ｄ変換およびＤ／Ａ変換回路６１に供給される。Ａ／Ｄ変換およびＤ／Ａ変換回路６１は、アナログオーディオデータの入力に対しては、Ａ／Ｄ変換を施してディジタルオーディオデータに変換し、ディジタルオーディオデータの入力に対しては、Ｄ／Ａ変換を施しアナログオーディオデータに変換する。Ａ／Ｄ変換およびＤ／Ａ変換回路６１から出力されたディジタルオーディオデータは、ベースバンド信号処理回路６３に供給される。
【００６７】
ベースバンド信号処理回路６３は、ディジタルビデオデータおよびディジタルオーディオデータが供給された場合には、供給されたディジタルビデオデータおよびディジタルオーディオデータに対して所定の信号処理を施し、ディジタルビデオデータを動画エンコード・デコード部６６に供給し、ディジタルオーディオデータをオーディオエンコード・デコード部６８に供給する。例えば、ディジタルビデオデータに対して画サイズ変換処理やカラーシステム変換処理、フィールド処理などが行われる。また、ディジタルビデオデータを、撮像画像のモニタなどに用いられる表示パネル６５や、ビューファインダ（ＥＶＦ）６４に供給するために、これら表示パネル６５やビューファインダ６４の表示に適するように画サイズ変換や各種処理が施される。
【００６８】
また、静止画シャッタボタンが押された場合には、ベースバンド信号処理回路６３は、静止画シャッタボタンが押されたタイミングに対応するフレームデータを静止画データとしてディジタルビデオデータから取り出す。そして、動画エンコード・デコード部６６およびオーディオエンコード・デコード部６８に対するディジタルビデオデータおよびディジタルオーディオデータの供給を維持しながら、取り出された静止画データを静止画エンコード・デコード部６７に供給する。
【００６９】
動画エンコード・デコード部６６は、ベースバンド信号処理回路６３から供給されたディジタルビデオデータを、例えばＭＰＥＧ２方式によりエンコードし、ＭＵＸ・ＤＥＭＵＸ６９に供給する。
【００７０】
周知のように、ＭＰＥＧ２方式では、ＤＣＴ(Discrete Cosine Transform)を用いたフレーム内圧縮符号化と、時系列方向の予測符号化を用いたフレーム間圧縮符号化とを用いてビデオデータを圧縮符号化する。ここで、時系列方向に予測符号化を行ったＢ(Bidirectionally)ピクチャおよびＰ(Predictive)ピクチャと、１画面（１フレーム）で完結するＩ(Intra)ピクチャとが定義される。最低１枚のＩピクチャを含むそれ自身で完結したグループをＧＯＰ(Group Of Picture)と呼び、ＭＰＥＧのストリームにおいて独立してアクセス可能な最小の単位とされる。ここでは、１ＧＯＰは、１枚のＩピクチャと、複数枚のＰピクチャおよびＢピクチャからなる１５フレームから構成され、再生時間の０．５秒に対応するものとする。
【００７１】
静止画エンコード・デコード部６７は、ベースバンド信号処理回路６３から供給された静止画データを、例えばＪＰＥＧ方式によりエンコードし、ＭＵＸ・ＤＥＭＵＸ６９に供給する。例えば、ＤＣＴおよびハフマン符号化などの処理を静止画データに対して施し、出力する。
【００７２】
また、オーディオエンコード・デコード部６８は、ベースバンド信号処理回路６３から供給されたディジタルオーディオデータを、例えばＡＣ３方式によりエンコードし、ＭＵＸ・ＤＥＭＵＸ６９に供給する。
【００７３】
ＭＵＸ・ＤＥＭＵＸ６９に対してメモリ５０が接続され、このメモリ５０は、記録再生の際にデータを一旦溜め込むバッファメモリとして機能する。具体的には、メモリ５０は、ディジタルビデオデータを書き込むための動画データ用の記録領域と、静止画データを書き込むための静止画データ用の記録領域とを有する。
【００７４】
ＭＵＸ・ＤＥＭＵＸ６９は、動画エンコード・デコード部６６およびオーディオエンコード・デコード部６８からディジタルビデオデータおよびディジタルオーディオデータが供給された場合には、マルチプレクサとしての機能する。例えば、供給されたディジタルビデオデータおよびディジタルオーディオデータをそれぞれ所定サイズのパケットに分割し、パケット毎に所定にヘッダを付加してＭＰＥＧシステムに規定されるパケッタイズドエレメンタリストリーム（ＰＥＳ）として多重化する。そして、多重化されたＡＶデータは、メモリ５０の動画データ用の記録領域に一旦溜め込まれ、所定量になったら読み出されて、光ディスクドライブ２２に供給される。
【００７５】
また、ＭＵＸ・ＤＥＭＵＸ６９は、静止画エンコード・デコード部６７から静止画データが供給された場合には、この静止画データをメモリ５０に出力する。出力された静止画データは、メモリ５０の静止画データ用の記録領域に一旦書き込まれ、例えばメモリ５０の動画用のデータ記録領域からＡＶデータが読み出され記録最小単位未満になったときに、メモリ５０の静止画データ用の記録用域から読み出され、光ディスクドライブ２２に供給される。
【００７６】
光ディスクドライブ２２は、ＭＵＸ・ＤＥＭＵＸ６９から供給されたデータまたは静止画データに対してエラー訂正符号化付加処理および変調処理などを信号処理部２３にて施した後、光ディスク２に記録する。
【００７７】
次に、再生時の動作について説明する。再生時の動作は記録時の逆の動作となる。光ディスクドライブ２２は、光ディスク２からＡＶデータまたは静止画データを読み出し、信号処理部２３により復調処理および誤り訂正処理などを施した後、ＭＵＸ・ＤＥＭＵＸ６９に供給する。
【００７８】
ＭＵＸ・ＤＥＭＵＸ６９は、光ディスクドライブ２２からＡＶデータが供給された場合には、デマルチプレクサとして機能し、供給されたＡＶデータのパケットから、ヘッダ情報に基づきデータを取り出し、多重化されて記録されたディジタルビデオデータやディジタルオーディオデータを分離し、元のストリームを復元する。そして、復元されたディジタルビデオデータおよびディジタルオーディオデータは、メモリ５０に一旦溜め込まれ、例えば所定量になったら読み出されて、ディジタルビデオデータは動画エンコード・デコード部６６に供給され、ディジタルオーディオデータはオーディオエンコード・デコード部６８に供給される。
【００７９】
ＭＵＸ・ＤＥＭＵＸ６９は、光ディスクドライブ２２から静止画データが供給された場合には、この静止画データをメモリ５０に出力する。出力された静止画データは、メモリ５０に一旦溜め込まれ、例えば所定量になったら読み出されて、静止画エンコード・デコード部６７に供給される。
【００８０】
動画エンコード・デコード部６６は、ＭＵＸ・ＤＥＭＵＸ６９から供給された、例えばＭＰＥＧ２方式によりエンコードされたディジタルビデオデータをデコードし、ベースバンド信号処理回路６３に供給する。
【００８１】
オーディオエンコード・デコード部６８は、ＭＵＸ・ＤＥＭＵＸ６９から供給された、例えばＡＣ３方式によりエンコードされたディジタルオーディオデータをデコードし、ベースバンド信号処理回路６３に供給する。
【００８２】
静止画エンコード・デコード部６７は、ＭＵＸ・ＤＥＭＵＸ６９から供給された、例えばＪＰＥＧ方式によりエンコードされた静止画データをデコードし、ベースバンド信号処理回路６３に供給する。
【００８３】
ベースバンド信号処理回路６３は、供給されたディジタルビデオデータまたは静止画データに対して、画サイズ変換処理やカラーシステム変換処理などの各種処理を施し、表示パネル６５に供給し、供給されたディジタルオーディオデータに対しても、外部出力などに適したように所定の処理を施し、Ａ／Ｄ変換およびＤ／Ａ変換回路６１に供給する。
【００８４】
表示パネル６５は、ベースバンド信号処理回路６３から供給されたディジタルビデオデータまたは静止画データに基づき表示を行う。Ａ／Ｄ変換およびＤ／Ａ変換回路６１は、ベースバンド信号処理回路６３から供給されたディジタルオーディオデータをアナログオーディオデータに変換し、オーディオ信号処理回路６０を介してスピーカ６２に供給する。スピーカ６２は、供給されたアナログオーディオデータに基づき音声を出力する。
【００８５】
データ記録方法の概略
次に、この第１の実施形態によるビデオカメラ装置１のデータ記録方法の概略について説明する。このデータ記録方法は、動画を撮影しながら静止画を撮影し、光ディスク２に記録するものである。
【００８６】
まず、図５および図６を用いて、光ディスク２のフォーマットについて説明する。図５は、光ディスクの記録領域を模式的に示す平面図である。図６は、光ディスクのアドレスを示す模式図である。
【００８７】
図５に示すように、光ディスク２のデータ記録領域は、その中心から外周に向かって円環状の記録ユニット♯１、♯２、♯３、・・・、♯ｎに分割されている。
【００８８】
図６に示すように、光ディスク２は２層の記録層を有する。以下では、記録／再生のためのレーザ光が照射される記録面に近い側の記録層を第１層と称し、この記録面から遠い側の記録層を第２層と称する。
【００８９】
第１層と第２層の論理アドレスは、図６に矢印で示すように、逆方向になっている。すなわち、第１層では、論理アドレスは、光ディスク２の中心から外周に向かって大きくなり、第２層では、論理アドレスは、光ディスク２の外周から中心に向かって大きくなる。
【００９０】
記録ユニット♯ｎ（ｎ＝１、２、・・・、ｎ）は、論理アドレスＡｎ−１〜Ａｎ（ｎ＝１、２、・・・、ｎ）により規定される第１層のデータ記録領域と、論理アドレスＢｎ−１〜Ｂｎ（ｎ＝１、２、・・・、ｎ）により規定される第２層のデータ記録領域とからなる。また、第２層の論理アドレスＢ０、Ｂ１、・・・、Ｂｎはそれぞれ、第１層の論理アドレスＡ０、Ａ１、・・・、Ａｎと同一の半径上に位置する。第１層では、論理アドレスＡ０から論理アドレスＡ２に向かってアドレスが大きくなり、第２層では、論理アドレスＢ２から論理アドレスＢ０に向かってアドレスが大きくなる。
【００９１】
この第１の実施形態では、動画データをアドレス方向に第１層から記録し、静止画データをアドレス方向に後ろ詰めで第２層から記録する。以下、図７を参照しながら、この第１の実施形態によるデータ記録方法の概略について説明する。
【００９２】
まず、記録ユニット♯１に以下の順序で動画データおよび静止画データを記録する。すなわち、動画撮影が開始されると、第１層の論理アドレスＡ０にアクセスし、この論理アドレスＡ０から光ディスク２の外周方向に向かって動画データの記録を開始する（ＳＥＱ１）。そして、記録ユニット♯１の終端である第１層の論理アドレスＡ１まで動画データを記録したら、記録ユニット♯１の終端である第２層の論理アドレスＢ１にアクセスし（ＳＥＱ２）、この論理アドレスＢ１から光ディスク２の中心方向に向かって動画データの記録を再開する（ＳＥＱ３）。なお、ＳＥＱ１〜３の間、第１のライトバッファ１９に対する動画データの溜め込み、および第１のライトバッファ１９からの動画データの読み出しの動作が周期的に繰り返される。なお、第１のライトバッファ１９の動作の詳細については後述する。
【００９３】
動画撮影中に静止画シャッタボタンが押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット１内の論理アドレスであれば、第２のライトバッファ２０から読み出した静止画データを、記録の終了アドレスが論理アドレスＢ０となり、記録の先頭アドレスが静止画データサイズ分のアドレスを記録の終了アドレスＢ０から遡った論理アドレスＢ０１となるように記録する（ＳＥＱ４）。なお、静止画データのデータサイズは、例えば第２のライトバッファ２０の静止画データの記録量に基づき予め知ることができる。なお、第２のライトバッファ２０の動作の詳細については後述する。
【００９４】
そして、静止画シャッタボタンが再度押されると、まず第２のライトバッファ２０に静止画データを溜め込む。そして、第１のライトバッファ１９の動画データが光ディスク２への記録のために読み出され、第１のライトバッファ１９の動画データが記録最小単位未満になったとき、静止画データを記録していた論理アドレスが記録ユニット１内の論理アドレスであれば、第２のライトバッファ２０から読み出した静止画データを、記録の終了アドレスがＢ０１となり、記録の先頭アドレスが静止画データサイズ分のアドレスを記録の終了アドレスＢ０１から遡った論理アドレスＢ０２となるように記録する（ＳＥＱ５）。
【００９５】
静止画データの先頭アドレスまで動画データを記録したら、次の記録ユニットである記録ユニット♯２に以下の順序で動画データを記録する。すなわち、記録ユニット♯２の終端である第１層の論理アドレスＡ１にアクセスし（ＳＥＱ６）、この論理アドレスＡ１から光ディスク２の外周方向に向かって動画データの記録を開始する（ＳＥＱ７）。そして、記録ユニット♯２の終端である論理アドレスＡ２まで動画データを記録したら、記録ユニット♯２の終端である第２層の論理アドレスＢ２にアクセスし（ＳＥＱ８）、この論理アドレスＢ２から光ディスク２の中心方向に向かって動画データの記録を再開する（ＳＥＱ９）。なお、ＳＥＱ７〜９の間、第１のライトバッファ１９に対する動画データの溜め込み、および第１のライトバッファ１９からの動画データの読み出しの動作が周期的に繰り返される。
【００９６】
動画撮影中に静止画シャッタボタンが押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット２内の論理アドレスであれば、第２のライトバッファ２０から読み出した静止画データを、記録の終了アドレスが論理アドレスＢ１となり、記録の先頭アドレスが静止画データサイズ分のアドレスを記録の終了アドレスＢ１から遡った論理アドレスＢ１１となるように記録する（ＳＥＱ１０）。
【００９７】
そして、静止画シャッタボタンが再度押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット２内の論理アドレスであれば、第２のライトバッファ２０から読み出した静止画データを、記録の終了アドレスが論理アドレスＢ１１となり、記録の先頭アドレスが静止画データサイズ分のアドレスを記録の終了アドレスＢ１１から遡った論理アドレスＢ１２となるように記録する（ＳＥＱ１１）。
【００９８】
更に、静止画シャッタボタンが再度押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット２内の論理アドレスであれば、第２のライトバッファ２０から読み出した静止画データを、記録の終了アドレスが論理アドレスＢ１２となり、記録の先頭アドレスが静止画データサイズ分のアドレスを記録の終了アドレスＢ１２から遡った論理アドレスＢ１３となるように記録する（ＳＥＱ１２）。
【００９９】
その後、静止画データの先頭アドレスＢ１３まで動画データを記録したら、次の記録ユニットである記録ユニット♯３にアクセスし、動画データを記録する（ＳＥＱ１３）。そして、動画記録中に静止画シャッタボタンが押された場合には、上述の静止画データ記録の動作が繰り返される。
【０１００】
データ記録方法の具体例
次に、この発明の第１の実施形態によるデータ記録方法をより具体的に説明する。図８（ａ）は、第１のライトバッファ１９のデータ記録時の動作を示す。図８（ｂ）は、第２のライトバッファ２０のデータ記録時の動作を示す。図８（ｃ）は、記録ユニットのデータ記録順序を示す。
【０１０１】
なお、図８（ｃ）において、第１層では、論理アドレスＡ０、Ａ１、・・・、Ａ４、Ａ５の順にアドレスが大きくなり、第２層では、論理アドレスＢ８、Ｂ７、・・・、Ｂ１、Ｂ０の順にアドレスが大きくなる。
【０１０２】
動画撮影を開始すると、図８（ａ）に示すように、第１のライトバッファ１９に動画データが溜め込まれる。この動画データが所定量溜め込まれると、溜め込まれた動画データが第１のライトバッファ１９から読み出され、この読み出された動画データが、光ディスク２に記録される（例えば、図８の時刻ｔ１〜ｔ２）。動画撮影中には、図８（ａ）に示すように、この動作が周期的に繰り返される。
【０１０３】
動画撮影中に静止画撮影がされると、図８（ｂ）に示すように、第２のライトバッファ２０に静止画データが溜め込まれる。第１のライトバッファ１９の動画データが光ディスク２への記録のために読み出され、第１のライトバッファ１９の動画データが記録最小単位未満になったとき（例えば、図８の時刻ｔ２）、第２のライトバッファ２０に溜め込まれた静止画データが読み出され、光ディスク２に記録される（例えば、図８の時刻ｔ２〜ｔ３）。
【０１０４】
以下、第１のライトバッファ１９および第２のライトバッファ２０の動作と関連付けながら、データ記録方法の具体例について説明する。
【０１０５】
まず、時刻ｔ１にて第１のライトバッファ１９の動画データ（１）の記録量が所定量に達すると、第１のライトバッファ１９から動画データ（１）を順次読み出し、読み出された動画データ（１）を第１層の論理アドレスＡ０から光ディスク２の外周方向の論理アドレスＡ１に向かって順次記録する（ＳＥＱ２０）。
【０１０６】
次に、時刻ｔ２にて第１のライトバッファ１９の動画データ（１）が記録最小単位未満になり、それまでの間に読み出された動画データ（１）が論理アドレスＡ１まで記録されると、第２のライトバッファ２０に溜め込まれた静止画データ（２）の記録に移行する。すなわち、記録の終了アドレスＢ０から静止画データ（２）のサイズ分アドレスを遡った第２層の論理アドレスＢ１にアクセス（ＳＥＱ２１）し、第２のライトバッファ２０から静止画データ（２）を順次読み出し、読み出された静止画データ（２）を第２層の論理アドレスＢ１から光ディスク２の中心方向の論理アドレスＢ０に向かって順次記録する（ＳＥＱ２２）。
【０１０７】
次に、時刻ｔ３にて第２のライトバッファ２０が空になり、それまでの間に読み出された静止画データ（２）が第２層の論理アドレスＢ０まで記録されると、第１層の論理アドレスＡ１にアクセスする（ＳＥＱ２３）。そして、時刻ｔ４にて第１のライトバッファ１９の動画データ（３）の記録量が所定量に達すると、第１のライトバッファ１９から動画データ（３）を順次読み出し、読み出された動画データ（３）を第１層の論理アドレスＡ１から光ディスク２の外周方向の論理アドレスＡ２に向かって順次記録する（ＳＥＱ２４）。
【０１０８】
次に、時刻ｔ５にて第１層の論理アドレスＡ２まで動画データ（３）を記録すると、第１のライトバッファ１９からの動画データ（３）の読み出しを一旦停止して、第２層の論理アドレスＢ５にアクセスする（ＳＥＱ２５）。そして、第１のライトバッファ１９から動画データ（３）を順次読み出し、読みだされた動画データ（３）を第２層の論理アドレスＢ５から光ディスク２の中心方向の論理アドレスＢ４に向かって順次記録し、時刻ｔ６にて第１のライトバッファ１９の動画データ（３）が記録最小単位未満になり、それまでに読み出された動画データ（３）を第２層の論理アドレスＢ４まで記録したら、記録動作を停止する（ＳＥＱ２６）。
【０１０９】
次に、時刻ｔ７にて第１のライトバッファ１９の動画データ（４）の記録量が所定量に達すると、第１のライトバッファ１９から動画データ（４）を順次読み出し、読み出された動画データ（４）を第１層の論理アドレスＢ４から光ディスク２の中心方向の論理アドレスＢ３に向かって順次記録する（ＳＥＱ２７）。
【０１１０】
次に、時刻ｔ８にて第１のライトバッファ１９の動画データ（４）が記録最小単位未満になり、それまでの間に読み出された動画データ（４）を論理アドレスＢ３まで記録されると、第２のライトバッファ２０に溜め込まれた静止画データ（５）の記録に移行する。すなわち、記録の終了アドレスＢ１から静止画データ（５）のサイズ分アドレスを遡った第２層の論理アドレスＢ２にアクセスし（ＳＥＱ２８）、第２のライトバッファ２０から静止画データ（５）を順次読み出し、読み出された静止画データ（５）を第２層の論理アドレスＢ２から光ディスク２の中心方向の論理アドレスＢ１に向かって順次記録する（ＳＥＱ２９）。
【０１１１】
次に、時刻ｔ９にて第２のライトバッファ２０が空になり、それまでの間に読み出された静止画データ（５）が第２層の論理アドレスＢ１まで記録されると、第２層の論理アドレスＢ３にアクセスする（ＳＥＱ３０）。そして、時刻ｔ１０にて第１のライトバッファ１９の動画データ（６）の記録量が所定量に達すると、第１のライトバッファ１９から動画データ（６）を順次読み出し、読み出された動画データ（６）を第２層の論理アドレスＢ３から光ディスク２の中心方向の論理アドレスＢ２に向かって順次記録する（ＳＥＱ３１）。
【０１１２】
次に、時刻ｔ１１にて第２層の論理アドレスＢ２まで動画データを記録すると、第１のライトバッファ１９からの動画データ（６）の読み出しを一旦停止して、次の記録ユニット♯２の第１層の論理アドレスＡ２にアクセスする（ＳＥＱ３２）。そして、第１のライトバッファ１９から動画データ（６）を順次読み出し、読みだれた動画データ（６）を第１の層の論理アドレスＡ２から光ディスク２の外周方向の論理アドレスＡ３に向かって順次記録し、時刻ｔ１２にて第１のライトバッファ１９の動画データ（６）が記録最小単位未満になり、それまでに読み出された動画データ（６）を第１層の論理アドレスＡ３まで記録したら、記録動作を停止する（ＳＥＱ３３）。
【０１１３】
次に、時刻ｔ１３にて第１のライトバッファ１９の動画データ（７）の記録量が所定量に達すると、第１のライトバッファ１９から動画データ（７）を順次読み出し、読み出された動画データ（７）を第１層の論理アドレスＡ３から光ディスク２の外周方向の論理アドレスＡ４に向かって順次記録する（ＳＥＱ３４）。
【０１１４】
次に、時刻ｔ１４にて第１のライトバッファ１９の動画データ（７）が記録最小単位未満になり、それまでの間に読み出された動画データ（７）が論理アドレスＡ４まで記録されると、第２のライトバッファ２０に溜め込まれた静止画データ（８）の記録に移行する。すなわち、記録の終了アドレスＢ５から静止画データ（８）のサイズ分アドレスを遡った第２層の論理アドレスＢ６にアクセスし（ＳＥＱ３５）、第２のライトバッファ２０から静止画データ（８）を順次読み出し、読み出された静止画データ（８）を第２層の論理アドレスＢ６から光ディスク２の中心方向の論理アドレスＢ５に向かって順次記録する（ＳＥＱ３６）。
【０１１５】
次に、時刻ｔ１５にて第２のライトバッファ２０が空になり、それまでの間に読み出された動画データ（８）が第２層の論理アドレスＢ５まで記録されると、第１層の論理アドレスＡ４にアクセスする（ＳＥＱ３７）。そして、時刻ｔ１６にて第１のライトバッファ１９の動画データ（９）の記録量が所定量に達すると、第１のライトバッファ１９から動画データ（９）を順次読み出し、読み出された動画データ（９）を第１層の論理アドレスＡ４から光ディスク２の外周方向の論理アドレスＡ５に向かって順次記録する（ＳＥＱ３８）。
【０１１６】
次に、時刻ｔ１７にて第１層の論理アドレスＡ５まで動画データ（９）を記録すると、第１のライトバッファ１９からの動画データ（９）の読み出しを一旦停止して、第２層の論理アドレスＢ８にアクセスする（ＳＥＱ３９）。そして、第１のライトバッファ１９から動画データ（９）を順次読み出し、読みだれた動画データ（９）を第２層の論理アドレスＢ８から光ディスク２の中心方向の論理アドレスＢ７に向かって順次記録し、時刻ｔ１８にて第１のライトバッファ１９の動画データ（９）が記録最小単位未満になり、それまでに読み出された動画データ（９）を第２層の論理アドレスＢ７まで記録したら、記録動作を停止する（ＳＥＱ４０）。
【０１１７】
ビデオカメラ装置のデータ記録動作
以下、図９を参照しながら、この発明の第１の実施形態によるビデオカメラ装置のデータ記録動作について説明する
【０１１８】
まず、ステップＳ１において、コントローラ１１が、記録する静止画データが第２のライトバッファ２０内にあるか否かを判断する。ステップＳ１にて記録する静止画データがないと判断された場合には、処理はステップＳ２に移行し、ステップＳ１にて記録する静止画データがあると判断された場合は、処理はステップＳ７に移行する。
【０１１９】
（ａ）記録する静止画データがない場合
ステップＳ１にて記録する静止画データがないと判断された場合には、ステップＳ２において、コントローラ１１が、第１のライトバッファ１９に記録された動画データの容量が第１のライトバッファ１９の閾値を越えたか否かを判断する。
【０１２０】
ステップＳ２にて動画データの容量が第１のライトバッファ１９の閾値を越えていないと判断された場合には、処理はステップＳ１に戻る。一方、ステップＳ２にて動画データの容量が第１のライトバッファ１９の閾値を越えていると判断された場合には、ステップＳ３において、コントローラ１１が、動画データの記録最小単位を記録できるだけの空き容量が現在記録中の記録ユニット内にあるか否かを判断する。
【０１２１】
ステップＳ３にて空き容量が現在記録中の記録ユニット内にないと判断された場合には、ステップＳ４において、コントローラ１１が、次の記録ユニットにアクセスし、ステップＳ３の処理を同様に行う。一方、ステップＳ３にて空き容量が現在記録中の記録ユニット内にあると判断された場合には、ステップＳ５において、コントローラ１１が、動画データの記録最小単位を現在記録中の記録ユニットに記録する。
【０１２２】
次に、ステップＳ６において、第１のライトバッファ１９の動画データが記録最小単位未満になったか否かを判断する。ステップＳ６にて第１のライトバッファ１９の動画データが記録最小単位未満になっていないと判断された場合には、処理はステップＳ３に戻る。一方、ステップＳ６にて第１のライトバッファ１９の動画データが記録最小単位未満になったと判断された場合には、処理はステップＳ１に戻る。
【０１２３】
（ｂ）記録する静止画データがある場合
ステップＳ１にて記録する静止画データがあると判断された場合には、ステップＳ７において、コントローラ１１が、動画データを現在記録している記録ユニットの空き領域に静止画データを記録できるか否かを判断する。
【０１２４】
ステップＳ７にて記録ユニットの空き領域に静止画データを記録できないと判断された場合には、ステップＳ８において、コントローラ１１が、次に記録ユニットにアクセスし、ステップＳ７の処理を同様に行う。一方、ステップＳ６にて記録ユニットの空き領域に静止画データを記録できると判断された場合には、ステップＳ９において、コントローラ１１が、動画データを現在記録している記録ユニットに静止画データがすでに記録されているか否かを判断する。
【０１２５】
ステップＳ９にて記録ユニットに静止画データがすでに記録されていないと判断された場合には、ステップＳ１０において、コントローラ１１が、記録終了アドレスが記録ユニットの最終アドレスになるように静止画データを記録する。そして、処理はステップＳ１に戻る。
【０１２６】
一方、ステップＳ９にて記録ユニットに静止画データがすでに記録されていると判断された場合には、ステップＳ１１において、コントローラ１１が、記録終了アドレスが前回記録された静止画データの先頭アドレス直前になるように静止画データを記録する。そして、処理は、ステップＳ１に戻る。
【０１２７】
以上説明したように、この第１の実施形態によれば、例えばデータ記録領域を２つの記録ユニットに分けた場合には、動画を記録しながら静止画を記録するときのアクセス距離を最大でも光ディスク２のデータ記録領域の１／２程度以下にできる。また、例えばデータ記録領域を３つの記録ユニットに分けた場合には、動画を記録しながら静止画を記録するときのアクセス距離を最大でも光ディスク２のデータ記録領域の１／３程度以下にできる。したがって、従来の第２のデータ記録方法に比べて動画記録領域と静止画記録領域との間のアクセス距離を短くし、アクセス時間を短くすることができる。したがって、従来の第２のデータ記録方法に比べてリアルタイム記録を保証するためのバッファ量を小さくすることができる。すなわち、ビデオカメラ装置１のコストを削減できる。
【０１２８】
また、例えば第２層の論理アドレスが大きい方から静止画データを順次配置することができるので、記録ユニット毎に静止画データを集めて配置することができる。よって、スライドショーにより静止画を連続的に再生する場合のシーク数を、従来の第１のデータ記録方法に比べて減らすことができる。また、動画データの分断を抑えることができるので、従来の第１のデータ記録方法に比べてファイル管理情報を小さくすることができる。したがって、メモリの容量を小さくして、ビデオカメラ装置１のコストを削減できる。
【０１２９】
また、動画を記録しながら静止画を記録するときのアクセス距離を減らすことができるので、アクセス時に発生するノイズの低減や消費電力の削減をできる。また、記録時間が近い動画データと静止画データとを物理上に近い位置に配置できるので、再生時に、動画と静止画とをリンクして再生した際のアクセス時間を低減できる。また、静止画データを記録ユニット毎に集めて記録できるので、スライドショーなどの連続再生時の静止画の切り替わり時間を短縮できる。
【０１３０】
（２）第２の実施形態
次に、この発明の第２の実施形態について説明する。上述の第１の実施形態では、２層ディスクの論理アドレスが１層目と２層目とで逆方向に設定されている場合について説明した。これに対して、この第２の実施形態では、２層ディスクの論理アドレスが１層目と２層目とで同一方向となるように設定されている場合について説明する。
【０１３１】
図１０は、この発明の第２の実施形態によるデータ記録方法を説明するためのものである。図１０に示すように、第１層では、論理アドレスは、光ディスク２の中心から外周に向かって大きくなるように設定されている。また、第２層でも同様に、論理アドレスは、光ディスク２の中心から外周に向かって大きくなるように設定されている。
【０１３２】
以下、図１０を参照しながら、この第２の実施形態によるデータ記録方法について説明する。まず、記録ユニット♯１に以下の順序で動画データおよび静止画データを記録する。すなわち、動画撮影が開始されると、第１層の論理アドレスＡ０にアクセスし、この論理アドレスＡ０から光ディスク２の外周方向に向かって動画データの記録を開始する（ＳＥＱ４０）。そして、記録ユニット♯１の終端である第１層の論理アドレスＡ１まで動画データを記録したら、記録ユニット♯１の終端である第２層の論理アドレスＢ０にアクセスし（ＳＥＱ４１）、この論理アドレスＢ０から光ディスク２の外周方向に向かって動画データの記録を再開する（ＳＥＱ４２）。なお、ＳＥＱ４０〜４２の間、第１のライトバッファ１９に対する動画データの溜め込み、および第１のライトバッファ１９からの動画データの読み出しの動作が周期的に繰り返される。
【０１３３】
動画撮影中に静止画シャッタボタンが押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット１内の論理アドレスであれば、第２のライトバッファ２０から読み出した静止画データを、記録の終了アドレスが論理アドレスＢ１となり、記録の先頭アドレスが静止画データサイズ分のアドレスを記録の終了アドレスＢ１から遡った論理アドレスＢ０１となるように記録する（ＳＥＱ４３）。なお、静止画データのデータサイズは、例えば第２のライトバッファ２０の静止画データの記録量に基づき予め知ることができる。
【０１３４】
そして、静止画シャッタボタンが再度押されると、まず第２のライトバッファ２０に静止画データを溜め込む。そして、第１のライトバッファ１９の動画データが光ディスク２への記録のために読み出され、第１のライトバッファ１９の動画データが記録最小単位未満になったとき、静止画データを記録していた論理アドレスが記録ユニット１内の論理アドレスであれば、第２のライトバッファ２０から読み出した静止画データを、記録の終了アドレスがＢ０１となり、記録の先頭アドレスが静止画データサイズ分のアドレスを記録の終了アドレスＢ０１から遡った論理アドレスＢ０２となるように記録する（ＳＥＱ４４）。
【０１３５】
静止画データの先頭アドレスまで動画データを記録したら、次の記録ユニットである記録ユニット♯２に以下の順序で動画データを記録する。すなわち、記録ユニット♯２の終端である第１層の論理アドレスＡ１にアクセスし（ＳＥＱ４５）、この論理アドレスＡ１から光ディスク２の外周方向に向かって動画データの記録を開始する（ＳＥＱ４６）。そして、記録ユニット♯２の終端である論理アドレスＡ２まで動画データを記録したら、記録ユニット♯２の終端である第２層の論理アドレスＢ１にアクセスし（ＳＥＱ４７）、この論理アドレスＢ１から光ディスク２の外周方向に向かって動画データの記録を再開する（ＳＥＱ４８）。なお、ＳＥＱ４６〜４８の間、第１のライトバッファ１９に対する動画データの溜め込み、および第１のライトバッファ１９からの動画データの読み出しの動作が周期的に繰り返される。
【０１３６】
動画撮影中に静止画シャッタボタンが押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット２内の論理アドレスであれば、第２のライトバッファ２０から読み出した静止画データを、記録の終了アドレスが論理アドレスＢ２となり、記録の先頭アドレスが静止画データサイズ分のアドレスを記録の終了アドレスＢ２から遡った論理アドレスＢ１１となるように記録する（ＳＥＱ４９）。
【０１３７】
そして、静止画シャッタボタンが再度押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット２内の論理アドレスであれば、第２のライトバッファ２０から読み出した静止画データを、記録の終了アドレスが論理アドレスＢ１１となり、記録の先頭アドレスが静止画データサイズ分のアドレスを記録の終了アドレスＢ１１から遡った論理アドレスＢ１２となるように記録する（ＳＥＱ５０）。
【０１３８】
更に、静止画シャッタボタンが再度押されると、まず第２のライトバッファ２０に対して静止画データを溜め込む。そして、第１のライトバッファ１９の動画データが光ディスク２への記録のために読み出され、第１のライトバッファ１９の動画データが記録最小単位未満になったとき、動画データを記録していた論理アドレスが記録ユニット２内の論理アドレスであれば、第２のライトバッファ２０から読み出した静止画データを、記録の終了アドレスが論理アドレスＢ１２となり、記録の先頭アドレスが静止画データサイズ分のアドレスを記録の終了アドレスＢ１２から遡った論理アドレスＢ１３となるように記録する（ＳＥＱ５１）。
【０１３９】
その後、静止画データの先頭アドレスＢ１３まで動画データを記録したら、次の記録ユニットである記録ユニット♯３にアクセスし、動画データを記録する。そして、動画記録中に静止画シャッタボタンが押された場合には、上述の静止画データ記録の動作が繰り返される。
【０１４０】
（３）第３の実施形態
次に、この発明の第３の実施形態について説明する。この第３の実施形態では、光ディスク２の第２層に論理アドレスが大きい方から静止画データを順次記録していき、この第２層の空き領域に静止画データを記録できなくなった場合には、第１層に論理アドレスが大きい方から静止画データを順次記録していく場合について説明する。
【０１４１】
以下に、図１１を用いて、この発明の第３の実施形態によるビデオカメラ装置１の記録動作について具体的に説明する。なお、図１１に示されるフローチャートの動作は、上述の第１の実施形態におけるフローチャートにおけるＳ７〜１１の動作に代わるものである。
【０１４２】
ステップＳ２１において、コントローラ１１が、現在動画データを記録している記録ユニットには、静止画データを記録できるだけの空き領域が第２層にあるか否かを判断する。ステップＳ２１にて静止画データを記録できるだけの空き領域が第２層にあると判断した場合には、ステップＳ２２において、コントローラ１１は、現在動画データを記録している記録ユニットには、静止画データが第２層にすでに記録されているか否かを判断する。
【０１４３】
ステップＳ２２にて静止画データが第２層にすでに記録されていないと判断された場合には、ステップＳ２３において、コントローラ１１が、記録終了アドレスが記録ユニットの第２層の最終アドレスになるように静止画データを記録する。
【０１４４】
一方、ステップＳ２２にて静止画データが第２層にすでに記録されていると判断された場合には、ステップＳ２４において、コントローラ１１が、記録終了アドレスが前回記録された静止画データの先頭アドレス直前になるように静止画データを記録ユニットの第２層に記録する。
【０１４５】
ステップＳ２１にて静止画データを記録できるだけの空き領域が第２層にないと判断された場合には、ステップＳ２５において、コントローラ１１は、現在動画データを記録している記録ユニットには、静止画データを記録できるだけの空き領域が第１層にあるか否かを判断する。
【０１４６】
ステップＳ２５にて静止画データを記録できるだけの空き領域が第１層にないと判断された場合には、ステップＳ２６において、コントローラ１１が、次の記録ユニットにアクセスし、ステップＳ２１の処理を同様に行う。
【０１４７】
一方、ステップＳ２５にて静止画データを記録できるだけの空き領域が第１層にあると判断された場合には、ステップＳ２７において、コントローラ１１が、現在動画データを記録している記録ユニットには、静止画データが第１層にすでに記録されているか否かを判断する。
【０１４８】
ステップＳ２７にて静止画データが第１層にすでに記録されていないと判断された場合には、ステップＳ２８において、コントローラ１１が、記録終了アドレスが記録ユニットの第１層の最終アドレスになるように静止画データを記録する。
【０１４９】
一方、ステップＳ２２にて静止画データが第１層にすでに記録されていると判断された場合には、ステップＳ２９において、コントローラ１１が、記録終了アドレスが前回記録された静止画データの先頭アドレス直前になるように静止画データを記録ユニットの第１層に記録する。
【０１５０】
以上、この発明の第１〜第３の実施形態について具体的に説明したが、この発明は、上述の第１〜第３の実施形態に限定されるものではなく、この発明の技術的思想に基づく各種の変形が可能である。
【０１５１】
例えば、上述の第１〜第３の実施形態において挙げた数値はあくまでも例に過ぎず、必要に応じてこれと異なる数値を用いてもよい。
【０１５２】
また、上述の第１〜第３の実施形態では、時系列変化するデータとして動画データを記録する場合を例として説明したが、時系列変化するデータはこの例に限定されるものではなく、例えばオーディオデータを時系列変化するデータとして記録するようにしてもよい。
【０１５３】
また、上述の第１〜第３の実施形態では、光ディスク２に対してこの発明を適用した場合を例として説明したが、複数の磁気ディスクを備えたマルチプラッタのハードディスクドライブに対してこの発明を適用するようにしてもよい。
【０１５４】
また、上述の第１〜第３の実施形態では、動画撮影中にシャッタボタンを押すと１種類の静止画データが光ディスク２に記録される場合を例として説明したが、１回のシャッタボタン押しで２種類以上の静止画データが光ディスク２に記録されるようにしてもよい。例えば、ＲＡＷデータおよびＪＰＥＧデータの両方が１回のシャッタボタン押しで光ディスク２に記録されるようにしてもよい。このようにすることで、２種類以上の静止画データを同時に作成し、記録できるため、同じシーンを画像モードを切り替えて撮影する手間を省くことができ、また、例えば撮影後にＲＡＷデータからＪＰＥＧデータに画像変換する手間を省くことができる。
【０１５５】
また、上述の第１〜第３の実施形態では、２層の記録層を有する光ディスク２に対してこの発明を適用した場合を例として説明したが、この発明はこの例に限定されるものではなく、３層以上の記録層を有する光ディスク２に対しても適用可能である。
【０１５６】
また、上述の第１〜第３の実施形態では、記録方式としてＺＣＡＶ（Zoned Constant Angular Velocity）方式を用いる場合には、ＺＣＡＶの領域にあわせて記録ユニットを設定することが好ましい。これにより、記録ユニット内でのアクセスの際に光ディスク２の回転数が変動しないため、消費電力を低減できるという利点を得ることができる。
【０１５７】
また、上述の第１〜第３の実施形態では、記録ユニット数を少なくすれば、それだけ静止画データを集めて記録できるので、スライドショーなどにより静止画の連続再生する場合に、シーク数を減らすことができる。しかしながら、記録ユニットを少なくすると、静止画データの記録領域と動画データの記録領域との間のアクセス時間が長くなってしまう。したがって、記録ユニットは、静止画を連続再生する際のシーク数と、静止画データの記録領域および動画データの記録領域の間のアクセス時間との両方を考慮して設定することが好ましい。
【図面の簡単な説明】
【０１５８】
【図１】この発明の第１の実施形態によるビデオカメラ装置の記録系の機能を説明するためのブロック図である。
【図２】この発明の第１の実施形態によるビデオカメラ装置の再生系の機能を説明するためのブロック図である。
【図３】この発明の第１の実施の形態によるビデオカメラ装置の一例の構成を示すブロック図である。
【図４】この発明の第１の実施形態によるビデオカメラ装置に備えられた光ディスクドライブの一例の構成を示すブロック図である。
【図５】この発明の第１の実施形態によるデータ記録方法によりデータが記録される光ディスクの記録領域を模式的に示す平面図である。
【図６】この発明の第１の実施形態によるデータ記録方法によりデータが記録される光ディスクのアドレスを示す模式図である
【図７】この発明の第１の実施形態によるデータ記録方法の概略を説明するための略線図である。
【図８】この発明の第１の実施形態によるデータ記録方法をより具体的に説明するための略線図である。
【図９】この発明の第１の実施形態によるビデオカメラ装置のデータ記録動作を説明するためのフローチャートである。
【図１０】この発明の第２の実施形態によるデータ記録方法を説明するためのものである。
【図１１】この発明の第３の実施形態によるビデオカメラ装置のデータ記録動作を説明するためのフローチャートである。
【図１２】従来の第１のデータ記録方法を説明するための略線図である。
【図１３】従来の第１のデータ記録方法により動画データおよび静止画データが記録された光ディスクの再生方法を説明するための略線図である。
【図１４】従来の第１のデータ記録方法により動画データおよび静止画データが記録された光ディスクのファイル構造を示す略線図である。
【図１５】従来の第２のデータ記録方法を説明するための略線図である。
【図１６】従来の第２のデータ記録方法により動画データおよび静止画データが記録された光ディスクのファイル構造を示す略線図である。
【符号の説明】
【０１５９】
１  ビデオカメラ装置
２  光ディスク
１１  コントローラ
１２  映像入力部
１３  エンコーダ
１４  音声入力部
１５  エンコーダ
１６  静止画入力部
１７  エンコーダ
１８  ＤＥＭＵＸ
１９  第１のライトバッファ
２０  第２のライトバッファ
２１  ワークメモリ
２２  光ディスクドライブ
５０  メモリ
５１  ＣＰＵ
５５  光学系
５６  ＣＣＤ
６３  ベースバンド信号処理回路
【図１】
0004609272.tif 000002
【図２】
0004609272.tif 000003
【図３】
0004609272.tif 000004
【図４】
0004609272.tif 000005
【図５】
0004609272.tif 000006
【図６】
0004609272.tif 000007
【図７】
0004609272.tif 000008
【図８】
0004609272.tif 000009
【図９】
0004609272.tif 000010
【図１０】
0004609272.tif 000011
【図１１】
0004609272.tif 000012
【図１２】
0004609272.tif 000013
【図１３】
0004609272.tif 000014
【図１４】
0004609272.tif 000015
【図１５】
0004609272.tif 000016
【図１６】
0004609272.tif 000017